(57)【要約】【課題】発光、発煙、発音動作により爆発を模擬できると共に爆発による被害がどの範囲まで及んだかを現示できる爆発物訓練模擬装置を提供する。【解決手段】爆発物模擬装置１０は、センサ部１１による異常検知信号、外部スイッチ１７の操作信号等を制御部１２に入力し、無線部１３、光送信部１５、現示部１６に爆発指示信号を与える。無線部１３は、無線機１８を経由して特定エリア内の人が所持又は車両に搭載された訓練現示装置２１に爆発指示信号を送信する。光送信部１５は爆発指示信号を光信号に変換し訓練現示装置２２に送信する。現示部１６は爆発指示信号により発光、発煙、発音動作し爆発を模擬する。訓練現示装置２１は、無線機１８からの爆発指示信号を無線部で受信し、発光、発煙、発音により爆発の被害を現示する。訓練現示装置２２は、光送信部１５からの爆発指示信号を受光部で受信し、発光、発煙、発音により爆発の被害を現示する。【選択図】      図１
2008014547.tif 000002
【特許請求の範囲】
【請求項１】
異常検知センサを備えたセンサ部と、無線により爆発指示信号を送信する無線部と、光信号により爆発指示信号を送出する光送信部と、発光、発煙、発音動作により爆発物を模擬する現示部と、前記センサ部の検知信号又は予め設定される時間情報又は外部からの指示信号に基づいて前記無線部、光送信部及び現示部を制御する制御部とから構成される爆発物模擬装置と、
前記爆発物模擬装置の無線部からの無線信号あるいは光送信部からの光信号を受信して爆発による被害を模擬する現示部を備えた訓練現示装置と、
を具備することを特徴とする爆発物訓練模擬装置。
【発明の詳細な説明】
【技術分野】
【０００１】
本発明は、爆発物を模擬する爆発物模擬装置と爆発物による被害を現示する訓練現示装置により爆発物の取扱い訓練を行うことができる爆発物訓練模擬装置に関する。
【背景技術】
【０００２】
従来、爆発物の取扱いを訓練する場合、爆発物の外形のみを模擬した模擬装置を使用して訓練を行っている。上記爆発物の模擬装置は、単に爆発物の外形のみを模擬した模型であり、爆発に相当する模擬機能は備えておらず、このため爆発を模擬した訓練を行うことができないという問題があった。
【０００３】
また、本発明に関連する公知技術として、複数の移動体例えば車両を２つ以上のグループに分け、相互にレーザ光線の空間伝送によって射撃訓練を行う射撃訓練装置が知られている（例えば、特許文献１参照。）。
【特許文献１】特開平１０−２３２１００号公報
【発明の開示】
【発明が解決しようとする課題】
【０００４】
上記従来の爆発物の模擬装置は、単に爆発物の外形のみを模擬したものであり、爆発物が爆発した状態を模擬することができず、また、爆発による被害を訓練者に正確に付与することができなかった。このため従来の爆発物の模擬装置では、実際に爆発を模擬した効果的な訓練を行うことができないという問題があった。
【０００５】
本発明は上記の課題を解決するためになされたもので、発光、発煙、発音動作により爆発を模擬することができると共に、爆発指示信号を無線や光信号により特定エリアの訓練現示装置に送信して爆発による被害がどの範囲まで及んだかを現示でき、爆発物取扱い訓練を効果的に行うことができる爆発物訓練模擬装置を提供することを目的とする。
【課題を解決するための手段】
【０００６】
本発明に係る爆発物訓練模擬装置は、異常検知センサを備えたセンサ部と、無線により爆発指示信号を送信する無線部と、光信号により爆発指示信号を送出する光送信部と、発光、発煙、発音動作により爆発物を模擬する現示部と、前記センサ部の検知信号又は予め設定される時間情報又は外部からの指示信号に基づいて前記無線部、光送信部及び現示部を制御する制御部とから構成される爆発物模擬装置と、前記爆発物模擬装置の無線部からの無線信号あるいは光送信部からの光信号を受信して爆発による被害を模擬する現示部を備えた訓練現示装置とを具備することを特徴とする。
【発明の効果】
【０００７】
本発明によれば、発光、発煙、発音動作により爆発を模擬することができ、かつ爆発指示信号を無線や光信号により訓練現示装置に送信して、爆発による被害がどの範囲まで及んだかを現示でき、爆発物取扱い訓練を効果的に行うことができる。また、訓練は一人だけでなく、複数の人に対応することができる。
【発明を実施するための最良の形態】
【０００８】
以下、図面を参照して本発明の一実施形態を説明する。  
図１は、本発明の一実施形態に係る爆発物訓練模擬装置の構成を示すブロック図である。この実施形態に係る爆発物訓練模擬装置は、爆発物模擬装置１０及び該爆発物模擬装置１０からの爆発指示を受信して動作する複数の訓練現示装置２１、２２により構成される。上記爆発物模擬装置１０は、爆発物を模擬する所定の位置に設置され、訓練現示装置２１、２２は、訓練する人が所持、あるいは移動体例えば車両に搭載される。訓練現示装置２１は爆発物模擬装置１０からの爆発指示を無線により受信する機能を備え、訓練現示装置２２は爆発指示を光信号により受信する機能を備えている。
【０００９】
上記爆発物模擬装置１０は、センサ部１１、制御部１２、無線部１３、光送信部１５及び現示部１６により構成される。
【００１０】
センサ部１１は、異常検知センサ例えば規定値以上の振動を検知する振動センサ１１１及び人の侵入を検知する侵入センサ１１２を備えている。上記センサ部１１により検知された信号は、制御部１２へ送られる。この制御部１２は、データ入力部１２１を備えており、このデータ入力部１２１から任意のタイマ時間あるいは動作時刻が設定できるようになっている。また、制御部１２には、遠隔した場所に設置される外部スイッチ１７の操作信号が爆発指示信号として入力される。
【００１１】
上記制御部１２は、
（１）センサ部１１から異常検知信号が入力された場合、
（２）データ入力部１２１で設定されたタイマ時間が経過するか、あるいは設定された時刻になった場合、
（３）外部スイッチ１７から爆発指示信号が入力された場合、
に動作し、無線部１３、光送信部１５及び現示部１６に制御信号を出力する。
【００１２】
無線部１３は、アンテナ１４を備え、爆発物模擬装置１０の近傍に設置されている無線機１８と無線により送受信を行う。無線機１８は、爆発物模擬装置１０の無線部１３及び訓練現示装置２１と無線通信を行うためのアンテナ１９を備えている。
【００１３】
無線部１３は、無線機１８との間で、訓練現示装置２１に対する装置設定／動作指示／装置状態、に関する情報を送受信する。上記装置設定は訓練現示装置２１に対する出力の強弱及び設定時間等であり、上記装置状態は訓練現示装置２１が爆発条件となったことの信号を示し、動作指示は訓練現示装置２１に対する爆発指示である。また、上記無線部１３は、ＧＰＳ等で無線部２１１を備えた訓練現示装置２１の位置、すなわち訓練者の位置を把握しており、全ての訓練現示装置２１との送受信が可能となっている。
【００１４】
上記爆発物模擬装置１０の無線部１３は、制御部１２から爆発指示信号が与えられると、この爆発指示信号を無線で無線機１８に送信する。無線機１８は、無線部１３から送られてくる爆発指示信号を受信すると、特定エリア内にいる人が所持している訓練現示装置２１や特定エリア内の車両に搭載されている訓練現示装置２１に爆発指示信号を送信する。
【００１５】
また、無線機１８は、例えば訓練指導教官等の特定の人が操作できるようになっており、上記特定の人の操作によって爆発指示信号を爆発物模擬装置１０の無線部１３及び訓練現示装置２１に出力する。爆発物模擬装置１０の制御部１２は、無線機１８からの爆発指示信号を無線部１３にて受信すると、光送信部１５及び現示部１６に爆発指示信号を与えて動作させる。
【００１６】
光送信部１５は、制御部１２から与えられる爆発指示信号を例えばレーザ光線、可視光線、近赤外光線等の光信号に変換し、訓練現示装置２２に送信する。
【００１７】
また、現示部１６は、制御部１２から爆発指示信号が与えられると、（ａ）例えば発光ダイオード（ＬＥＤ）やキセノンランプ等による発光動作、（ｂ）発煙動作、（ｃ）電子ブザー等の音、などにより爆発を模擬する。
【００１８】
一方、訓練現示装置２１は、無線部２１１及び現示部２１２を備えると共にアンテナ２１３を備え、無線機１８から無線で送られてくる爆発指示信号を無線部２１１で受信すると、現示部２１２にて上記爆発物模擬装置１０の現示部１６と同様に発光動作、発煙動作、音などにより爆発の被害を現示する。
【００１９】
また、訓練現示装置２２は、受光部２２１及び現示部２２２からなり、爆発物模擬装置１０の光送信部１５から光信号により送られてくる爆発指示信号を受光部２２１で受信すると、現示部２２２にて上記訓練現示装置２１と同様に発光動作、発煙動作、音などにより爆発の被害を現示する。
【００２０】
次に上記模擬爆発物取扱い訓練装置の全体の動作を説明する。  
予め訓練に先だって、無線部２１１を備えた訓練現示装置２１及び受光部２２１を備えた訓練現示装置２２をそれぞれ複数の訓練者に所持させ、あるいは訓練者が使用する複数の車両に搭載する。訓練現示装置２１、２２を訓練者に所持させるか、車両に搭載するかは、訓練の目的等に応じて任意に決定する。
【００２１】
また、爆発物模擬装置１０については、データ入力部１２１によって制御部１２に模擬爆発の時間、すなわち、模擬爆発を行わせるまでの待機時間、あるいは模擬爆発の時刻を設定する。
【００２２】
なお、爆発物模擬装置１０に設けたセンサ部１１の検出信号によって模擬爆発を行わせる場合、あるいは外部スイッチ１７の遠隔操作によって模擬爆発を行わせる場合には、上記時間設定操作は不要である。
【００２３】
そして、模擬爆発物の取扱い訓練時において、センサ部１１に設けられている振動センサ１１１は、例えば近くを車両等が通過する等により生じる規定値以上の振動を検知し、その検知信号を制御部１２に出力する。また、侵入センサ１１２は、所定の領域に人が侵入した場合に、その侵入を検知して検知信号を制御部１２に出力する。
【００２４】
制御部１２は、
（１）センサ部１１から異常検知信号が入力された場合、
（２）データ入力部１２１で設定された時間が経過するか、あるいは設定された時刻になった場合、
（３）外部スイッチ１７から爆発指示信号が入力された場合、
（４）無線機１８から送信された爆発指示信号を無線部１３にて受信した場合、
の何れかの条件を満たした場合に、無線部１３、光送信部１５、現示部１６に爆発指示信号を出力して動作させる。
【００２５】
現示部１６は、制御部１２から爆発指示信号が与えられると、発光動作、発煙動作、爆発音の何れかの動作、あるいは組み合わせ動作によって爆発を模擬する。
【００２６】
無線部１３は、制御部１２から与えられる爆発指示信号を無線機１８に無線送信する。無線機１８は、爆発物模擬装置１０の無線部１３から送られてくる爆発指示信号を受信した場合、あるいは訓練指導教官によって操作された場合、該当エリア内にいる人が持っている訓練現示装置２１や該当エリア内の車両に搭載されている訓練現示装置２１に爆発指示信号を送信する。上記無線機１８のエリア内に存在する訓練現示装置２１は、無線機１８から送信される爆発指示信号を無線部２１１で受信すると、現示部２１２により発光動作、発煙動作、爆発音の何れかの動作あるいは組み合わせ動作により爆発被害を模擬、すなわち爆発物模擬装置１０の爆発により損耗を受けた現示を行う。
【００２７】
また、爆発物模擬装置１０の光送信部１５は、制御部１２から与えられる爆発指示信号を光信号に変換し、特定エリア内にいる人が持っている訓練現示装置２２や特定エリア内の車両に搭載されている訓練現示装置２２に爆発指示信号を送信する。訓練現示装置２２は、上記光送信部１５から光信号により送られてくる爆発指示信号を受光部２２１で受信すると、現示部２２２により発光動作、発煙動作、爆発音の何れかの動作あるいは組み合わせ動作により爆発被害を模擬、すなわち爆発物模擬装置１０の爆発により損耗を受けた現示を行う。
【００２８】
次に、上記無線機１８が訓練現示装置２１に爆発指示信号を送信する特定エリア、及び爆発物模擬装置１０の光送信部１５が訓練現示装置２２に爆発指示信号を送信する特定エリアの設定について説明する。
【００２９】
基本的には、爆発物模擬装置１０により模擬する爆発物はどの程度の破壊力があるかを事前に認識し、その威力を忠実に再現できるように特定エリアを設定する。
【００３０】
（１）［無線機１８によるエリア設定について］
無線機１８から放射される電波でエリアを構築し、訓練現示装置２１側で送信電波を受信できるか否かにより特定エリアを設定する。
【００３１】
（２）［光送信部１５によるエリア設定について］
光送信部１５で例えばレーザダイオード等により発光させた光を訓練現示装置２２の受光部２２１で受光したときに、受光部２２１側の受光レベルに閾値を設定し、ある一定のエネルギーを受光できる範囲を特定エリアとして設定する。このとき、レーザ光線のエネルギーは、遠方で減衰するので、強いエネルギーで近距離、弱いエネルギーで遠距離のエリアを設定することができる。
【００３２】
以上は、爆発指示信号を受信する訓練現示装置２１、２２側で特定エリアを設定する場合について説明したが、送信側である無線機１８、光送信部１５で送信するパワーを事前設定やスイッチ操作により、特定のエリアまでしか送信しないように制御することによっても特定エリアの設定が可能である。また、訓練現示装置２１、２２において、信号の受信レベルに閾値を設定し、例えば「弱いレベルで被害を受ける」、「強いレベルで被害を受ける」等の設定を行うことも可能である。
【００３３】
上記実施形態によれば、発光、発煙、発音動作により爆発を模擬することができ、かつ爆発指示信号を無線や光信号により特定エリアの訓練現示装置２１、２２に送信して爆発による被害がどの範囲まで及んだかを現示でき、爆発物取扱い訓練を効果的に行うことができる。また、訓練は一人だけでなく、複数の人に対応することができる。また、爆発による被害を示す特定エリアは、事前設定やスイッチ操作により任意に設定が可能である。
【００３４】
また、無線による訓練現示装置２１と光による訓練現示装置２２を備えているので、無線による指示と光による指示の何れに場合であっても爆発を模擬することができる。
【００３５】
なお、上記実施形態では、爆発物模擬装置１０内の無線部１３から外部の無線機１８を介して訓練現示装置２１に指示を与える場合について説明したが、無線機１８を省略し、爆発物模擬装置１０内に設けた無線部１３から訓練現示装置２１に直接指示を与えるようにしても良い。
【００３６】
また、本発明は、上記実施形態そのままに限定されるものではなく、実施段階ではその要旨を逸脱しない範囲で構成要素を変形して具体化できるものである。
【図面の簡単な説明】
【００３７】
【図１】本発明の一実施形態に係る爆発物訓練模擬装置の構成を示すブロック図である。
【符号の説明】
【００３８】
１０…爆発物模擬装置、１１…センサ部、１１１…振動センサ、１１２…侵入センサ、１２…制御部、１２１…データ入力部、１３…無線部、１４…アンテナ、１５…光送信部、１６…現示部、１７…外部スイッチ、１８…無線機、１９…アンテナ、２１…無線部を備えた訓練現示装置、２２…受光部を備えた訓練現示装置、２１１…訓練現示装置２１の無線部、２１２…訓練現示装置２１の現示部、２１３…訓練現示装置２１のアンテナ、２２１…訓練現示装置２２の受光部、２２２…訓練現示装置２２の現示部
【図１】
2008014547.tif 000003